(57)【特許請求の範囲】
【請求項１】
下面に開口部を有する中空状の鋼製大引を土台に連結するための大引受け金物であって、
前記鋼製大引の端部を支持して固定する大引支持部と、前記土台に固定されて前記大引支持部を支持する固定部とを備え、
前記大引支持部は、水平方向に延びる底板と、この底板の左右端部から上方に延びる左右の側板と、前記底板に立設されて前記鋼製大引の前記開口部に挿入される挿入部とを備えていることを特徴とする大引受け金物。
【請求項２】
前記固定部は、前記土台に打ち込まれる爪部を備えていることを特徴とする請求項１に記載の大引受け金物。
【請求項３】
鋼製大引と土台とが大引受け金物を用いて連結されている連結部であって、
前記鋼製大引は、下面に開口部を有する中空状の大引であり、
前記大引受け金物は、前記鋼製大引の端部を支持して固定する大引支持部と、前記土台に固定されて前記大引支持部を支持する固定部とを備え、前記大引支持部は、水平方向に延びる底板と、この底板の左右端部から上方に延びる左右の側板と、前記底板に立設されて前記鋼製大引の前記開口部に挿入される挿入部とを備えており、
前記土台に前記大引受け金物の固定部が固定されているとともに、
前記鋼製大引の前記開口部に前記大引受け金物の前記挿入部が挿入されて、前記鋼製大引の端部が前記大引受け金物の前記底板に載せられ、前記鋼製大引が前記大引受け金物の前記側板に固定具により固定されていることを特徴とする鋼製大引と土台との連結部。
【請求項４】
前記大引受け金物の前記固定部は、前記土台に打ち込まれる爪部を備えており、この爪部が前記土台に打ち込まれることにより、前記固定部が前記土台に固定されていることを特徴とする請求項３に記載の鋼製大引と土台との連結部。
【請求項５】
鋼製大引と土台とを大引受け金物を用いて連結する連結方法であって、
前記鋼製大引は、下面に開口部を有する中空状の大引であり、
前記大引受け金物は、前記鋼製大引の端部を支持して固定する大引支持部と、前記土台に固定されて前記大引支持部を支持する固定部とを備え、前記大引支持部は、水平方向に延びる底板と、この底板の左右端部から上方に延びる左右の側板と、前記底板に立設されて前記鋼製大引の前記開口部に挿入される挿入部とを備えており、
前記土台に前記大引受け金物の前記固定部を固定し、
次いで、前記鋼製大引の前記開口部に前記大引受け金物の前記挿入部を挿入して、前記鋼製大引の端部を前記大引受け金物の前記底板に載せた後、前記鋼製大引を前記大引受け金物の前記側板に固定具により固定することを特徴とする鋼製大引と土台との連結方法。
【請求項６】
前記大引受け金物の前記固定部は、前記土台に打ち込まれる爪部を備えており、この爪部を前記土台に打ち込むことにより、前記固定部を前記土台に固定することを特徴とする請求項５に記載の鋼製大引と土台との連結方法。
【発明の詳細な説明】
【０００１】
【発明の属する技術分野】
本発明は、下面に開口部を有する中空状の鋼製大引を土台に連結するための大引受け金物、これを用いた鋼製大引と土台との連結部および連結方法に関する。
【０００２】
【従来の技術】
鋼製大引としては、例えば、図５に示すように、鋼板をプレス成形またはロール成形することにより、断面形状が長方形の中空状に形成された鋼製大引１が知られている。この鋼製大引１の下面１１の中央部には、大引１の長手方向に沿って延びる開口部１２が形成されている。この開口部１２の両側には、鋼板の幅方向の両縁部が下面１１から内側に（上面１３に向かって）略直角に折り曲げられて形成された一次折込部１４ａと、この一次折込部１４ａの先端からさらに開口部１２から離れる方向に（側面１５，１５に向かって）折り曲げられて形成された二次折込部１４ｂとからなる折込部１４が設けられている。
【０００３】
図７に示すように、この鋼製大引１の端部を、基礎２１上に設けられた木製の土台２２に連結するために、従来から大引受け金物３０を用いることが知られている。
この従来の大引受け金物３０は、図６および図７に示すように、鋼製大引１の端部を支持して固定する大引支持部３１と、土台２２に固定されて大引支持部３１を支持する固定部３２とを備えている。大引支持部３１は、水平方向に延びる底板３１ａと、この底板３１ａの左右端から直角に立ち上がる左右の側板３１ｂ，３１ｂとからなり、正面視において上方が開口したコ字状に形成されている。固定部３２は、左右の側板３１ｂ，３１ｂの後端面にそれぞれ、各側板３１ｂ，３１ｂと直交するようにかつ各側板３１ｂ，３１ｂの後端面から左右に離れる方向に延びるようにして、溶接等により固定された左右の固定板３２ａ，３２ａからなる。大引支持部３１の左右の側板３１ｂ，３１ｂにはそれぞれ、ドリリングタッピンねじ用の複数個の貫通孔３１ｃが形成されており、一方固定部３２の固定板３２ａ，３２ａにはそれぞれ釘用の複数個の貫通孔３２ｂが形成されている。
【０００４】
この大引受け金物３０を用いて、鋼製大引１を土台２２に連結するには、先ず、左右の固定板３２ａ，３２ａの貫通孔３２ｂを通して釘４１を打ち込むことにより、左右の固定板３２ａ，３２ａを土台２２の側面に固定する。次いで、鋼製大引１の一端部を開口部１２を下側にして底板３１ａに載せた後、左右の側板３１ｂ，３１ｂの貫通孔３１ｃを通してドリリングタッピンねじ４２を打ち込むことにより、左右の側板３１ｂ，３１ｂと鋼製大引１の左右の側面１５，１５とをそれぞれ固定する。
【０００５】
【発明が解決しようとする課題】
しかしながら、このような従来の大引受け金物３０を用いて、鋼製大引１を土台２２に連結する際に、ドリリングタッピンねじを用いて左右の側板３１ｂ，３１ｂと鋼製大引１の左右の側面１５，１５とをそれぞれ固定しようとすると、ドリリングタッピンねじの打ち込みに伴って鋼製大引１の位置がずれるので、これを阻止しつつ打ち込み作業を行う必要があり、作業時間がかかるという問題がある。
【０００６】
本発明は、上記事情に鑑みて為されたもので、鋼製大引を土台に連結する作業を簡単にかつ迅速に行うことができる大引受け金物、これを用いた鋼製大引と土台との連結部および連結方法を提供することを目的とする。
【０００７】
【課題を解決するための手段】
上記目的を達成するために、請求項１に記載の大引受け金物は、下面に開口部を有する中空状の鋼製大引を土台に連結するための大引受け金物であって、前記鋼製大引の端部を支持して固定する大引支持部と、前記土台に固定されて前記大引支持部を支持する固定部とを備え、前記大引支持部は、水平方向に延びる底板と、この底板の左右端部から上方に延びる左右の側板と、前記底板に立設されて前記鋼製大引の前記開口部に挿入される挿入部とを備えていることを特徴とする。
【０００８】
請求項２に記載の大引受け金物は、請求項１に記載の発明において、前記固定部は、前記土台に打ち込まれる爪部を備えていることを特徴とする。
【０００９】
請求項３に記載の鋼製大引と土台との連結部は、鋼製大引と土台とが大引受け金物を用いて連結されている連結部であって、
前記鋼製大引は、下面に開口部を有する中空状の大引であり、
前記大引受け金物は、前記鋼製大引の端部を支持して固定する大引支持部と、前記土台に固定されて前記大引支持部を支持する固定部とを備え、前記大引支持部は、水平方向に延びる底板と、この底板の左右端部から上方に延びる左右の側板と、前記底板に立設されて前記鋼製大引の前記開口部に挿入される挿入部とを備えており、
前記土台に前記大引受け金物の固定部が固定されているとともに、
前記鋼製大引の前記開口部に前記大引受け金物の前記挿入部が挿入されて、前記鋼製大引の端部が前記大引受け金物の前記底板に載せられ、前記鋼製大引が前記大引受け金物の前記側板に固定具により固定されていることを特徴とする。
【００１０】
請求項４に記載の鋼製大引と土台との連結部は、請求項３に記載の発明において、前記大引受け金物の前記固定部は、前記土台に打ち込まれる爪部を備えており、この爪部が前記土台に打ち込まれることにより、前記固定部が前記土台に固定されていることを特徴とする。
【００１１】
請求項５に記載の鋼製大引と土台との連結方法は、鋼製大引と土台とを大引受け金物を用いて連結する連結方法であって、
前記鋼製大引は、下面に開口部を有する中空状の大引であり、
前記大引受け金物は、前記鋼製大引の端部を支持して固定する大引支持部と、前記土台に固定されて前記大引支持部を支持する固定部とを備え、前記大引支持部は、水平方向に延びる底板と、この底板の左右端部から上方に延びる左右の側板と、前記底板に立設されて前記鋼製大引の前記開口部に挿入される挿入部とを備えており、
前記土台に前記大引受け金物の前記固定部を固定し、
次いで、前記鋼製大引の前記開口部に前記大引受け金物の前記挿入部を挿入して、前記鋼製大引の端部を前記大引受け金物の前記底板に載せた後、前記鋼製大引を前記大引受け金物の前記側板に固定具により固定することを特徴とする。
【００１２】
請求項６に記載の鋼製大引と土台との連結方法は、請求項５に記載の発明において、前記大引受け金物の前記固定部は、前記土台に打ち込まれる爪部を備えており、この爪部を前記土台に打ち込むことにより、前記固定部を前記土台に固定することを特徴とする。
【００１３】
【発明の実施の形態】
以下、本発明の実施の形態を図面を参照して説明する。
図１乃至図３はそれぞれ、本発明の実施の形態に係る大引受け金物の斜視図、正面図および側面図であり、図４は、この大引受け金物を用いて鋼製大引と土台とを連結した状態を示す斜視図である。なお、これらの各図において、図５および図７と同一構成要素には同一符号を付してその説明を簡略化する。
本実施の形態に係る大引受け金物５０は、鋼製大引１の端部を支持して固定する大引支持部５１と、土台２２に固定されて大引支持部５１を支持する固定部５２とを備えている。
【００１４】
大引支持部５１は、水平方向に延びる底板５１ａと、この底板５１ａの左右端から直角に上方に折り曲げられた左右の側板５１ｂ，５１ｂと、底板５１ａの左右方向中央部の前側部分が前側から後側に向かって垂直に立ち上げられて形成された長方形の挿入部５１ｃとを備えている。挿入部５１ｃの左右方向の幅寸法は、鋼製大引１の下面１１の開口部１２の幅寸法よりも若干小さく設定されている。大引支持部５１の左右の側板５１ｂ，５１ｂにはそれぞれ、ドリリングタッピンねじ用の複数個（本例では２個）の貫通孔５１ｄが形成されている。
【００１５】
固定部５２は、左右の側板５１ｂ，５１ｂの後端面にそれぞれ、各側板５１ｂ，５１ｂと直交するようにかつ各側板５１ｂ，５１ｂの後端面から左右に離れる方向に延びるようにして、溶接等により固定された左右の固定板５２ａ，５２ａを備えている。各固定板５２ａ，５２ａにはそれぞれ、各固定板５２ａの後方に向けて突出するフォークの爪状の爪部５２ｂが、上下方向に等間隔に複数個（本例では３個）設けられている。これらの爪部５２ｂは、固定板５２ａの一部がフォークの爪状に後方に立ち上げられて形成されている。
【００１６】
この大引受け金物５０を用いて、鋼製大引１と土台２２とは次にようにして連結されている。
すなわち、左右の固定板５２ａ，５２ａの各爪部５２ｂが土台２２の側面に打ち込まれて、固定部５２が土台２２の側面に固定されている。また、鋼製大引１の一端部が、開口部１２を下側にし開口部１２内に挿入部５１ｃが挿入されて、底板５１ａに載せられ、そして左右の側板５１ｂ，５１ｂの貫通孔５１ｄを通してドリリングタッピンねじ（固定具）４２が打ち込まれて、左右の側板５１ｂ，５１ｂが鋼製大引１の左右の側面１５，１５にそれぞれ固定されている。
【００１７】
次に、大引受け金物５０を用いて、鋼製大引１を土台２２に連結する手順を説明する。
先ず、左右の固定板５２ａ，５２ａの各爪部５２ｂを土台２２の側面に打ち込むことにより、固定部５２を土台２２の側面に固定する。次いで、鋼製大引１の一端部を、開口部１２を下側にし開口部１２内に挿入部５１ｃを挿入させて、底板５１ａに載せた後、左右の側板５１ｂ，５１ｂの貫通孔５１ｄを通してドリリングタッピンねじ４２を打ち込むことにより、左右の側板５１ｂ，５１ｂと鋼製大引１の左右の側面１５，１５とをそれぞれ固定する。
【００１８】
このように、本実施の形態の大引受け金物５０を用いて鋼製大引１と土台２２とを連結すると、左右の側板５１ｂ，５１ｂと鋼製大引１の左右の側面１５，１５とをそれぞれ固定するために、ドリリングタッピンねじ４２等を打ち込んでも、鋼製大引１の開口部１２内に挿入された挿入部５１ｃが鋼製大引１の位置がずれるのを阻止するので、このドリリングタッピンねじ４２の打ち込み作業を簡単にかつ迅速に行うことができる。
また、左右の固定板５２ａ，５２ａに爪部５２ｂが形成されているので、これらの爪部５２ｂを土台２２の側面に打ち込むことにより、固定部５２を土台２２に固定することができる。したがって、土台２２に溝等の加工を施したり、釘等を用いたりしなくてよいので、施工工数や施工部品の削減を図ることができ、施工コストを削減することができる。
【００１９】
なお、上述の実施の形態では、鋼製大引１は断面形状が長方形の中空状に形成されているが、これに限らず、鋼製大引は、下面に開口部が形成されていれば、上辺と下辺の長さが異なる台形の断面形状やその他の多角形の断面形状の中空状に形成してもよい。また、鋼製大引１は、補強等のために、各面に溝を設けたり、あるいは波型の加工を施してもよい。
また、上述の実施の形態では、開口部１２が鋼製大引１に長手方向に沿って延びるように形成されているが、開口部は連続的に形成されていなくともよい。
【００２０】
また、上述の実施の形態では、左右の各固定板５２ａ，５２ａにそれぞれ３個ずつ爪部５２ｂを設けたが、この爪部５２ａの個数は必要とされる固定強度に応じて適宜の個数を設ければよい。また、これらの爪部５２ｂは上下に等間隔に一列にして設けたが、千鳥上に配置することもできるし、複数列に設けることもできる。
【００２１】
【発明の効果】
以上説明したように、本発明の大引受け金物、鋼製大引と土台との連結部および鋼製大引と土台との連結方法によれば、大引受け金物の左右の側板と鋼製大引とを固定具により固定する際に、鋼製大引の開口部内に挿入された大引受け金物の挿入部が鋼製大引の位置がずれるのを阻止するので、この固定作業を簡単にかつ迅速に行うことができる。
さらに、大引受け金物の固定部に土台に打ち込まれる爪部を設けると、この爪部を土台に打ち込んで大引受け金物を土台に固定することができるので、土台に溝等の加工を施したり、釘等を用いたりしなくて済む。したがって、施工工数や施工部品の削減を図ることができ、施工コストを削減することができる。
【図面の簡単な説明】
【図１】本発明の実施の形態に係る大引受け金物の斜視図である。
【図２】同、正面図である。
【図３】同、側面図である。
【図４】図１の大引受け金物を用いて、鋼製大引と土台とを連結した状態を示す斜視図である。
【図５】鋼製大引の横断面図である。
【図６】従来の大引受け金物の斜視図である。
【図７】図６の大引受け金物を用いて、鋼製大引と土台とを連結した状態を示す斜視図である。
【符号の説明】
１    鋼製大引
１１    下面
１２    開口部
２２    土台
４２    ドリリングタッピンねじ（固定具）
５０    大引受け金物
５１    大引支持部
５１ａ    底板
５１ｂ    側板
５１ｃ    挿入部
５２    固定部
５２ｂ    爪部
【図１】
0003611559.tif 000002
【図２】
0003611559.tif 000003
【図３】
0003611559.tif 000004
【図４】
0003611559.tif 000005
【図５】
0003611559.tif 000006
【図６】
0003611559.tif 000007
【図７】
0003611559.tif 000008